(57)【特許請求の範囲】
【請求項１】
トナー像が形成された感光体ドラムの表面を清掃するクリーニング装置であって、
前記表面から残留トナーを除去するクリーニング部材と、
前記クリーニング部材から除去した残留トナーを貯留するトナー貯留部と、
前記トナー貯留部に貯留した残留トナーを飛翔させて前記表面に供給する飛翔トナー供給手段とを具備し、
この飛翔トナー供給手段は、
前記トナー貯留部で回転駆動される回転軸と、
この回転軸の回転に伴って、前記トナー貯留部の内壁に接触して撓み、前記トナー貯留部に貯留した残留トナーを掻き上げるとともに、この内壁との接触が解除されて弾性回復することによりこの掻き上げた残留トナーを前記クリーニング部材による清掃前の前記表面に向けて弾き飛ばすトナー飛翔部材と
を備えることを特徴とするクリーニング装置。
【請求項２】
請求項１に記載のクリーニング装置であって、
前記トナー飛翔部材は、前記トナー貯留部に貯留した残留トナーを掻き上げるすくい面を有し、このすくい面は、その周縁が前記回転軸の回転方向に向けて反り上がるスコップ状に形成されていることを特徴とするクリーニング装置。
【請求項３】
請求項１又は２に記載のクリーニング装置であって、
前記回転軸には、前記トナー貯留部に貯留した残留トナーを回収容器に向けて搬送可能なスクリューが設置されていることを特徴とするクリーニング装置。
【請求項４】
請求項１から３のいずれか一項に記載のクリーニング装置であって、
前記トナー飛翔部材は、前記掻き上げた残留トナーを、前記表面のうちこの感光体ドラムの回転軸線方向でみた現像幅の外側領域であって帯電幅の内側領域に対応する箇所に向けて弾き飛ばしていることを特徴とするクリーニング装置。
【請求項５】
請求項１から４のいずれか一項に記載のクリーニング装置を搭載した画像形成装置であって、
前記表面に接触して帯電させる帯電器を備えていることを特徴とする画像形成装置。
【発明の詳細な説明】
【技術分野】
【０００１】
本発明は、転写の際に感光体ドラムの表面に残った残留トナー等を除去するクリーニング装置及びこれを搭載した画像形成装置に関するものである。
【背景技術】
【０００２】
この種の画像形成装置では電子写真方式が用いられており、帯電器が感光体ドラムを予め帯電し、露光部が感光体ドラムの表面に光を照射すると、この感光体ドラムの表面には静電潜像が形成される。また、現像器はトナーを担持しており、トナーが静電潜像に付着して感光体ドラムの表面にはトナー像が現像される。そして、この可視化されたトナー像を用紙に、或いは中間転写体を介して用紙に転写して定着させる。
【０００３】
上記帯電器には、感光体ドラムの表面に直接に接触する帯電ローラーが知られている。コロナ放電時のオゾン（Ｏ３）の発生を避け、環境への影響を減らせるからである。
一方、この帯電ローラーによる接触帯電では、感光体ドラムの表面に過剰な電圧が印加されると、感光体ドラムの表面の絶縁破壊が起き、電流のリークが発生する。
【０００４】
詳しくは、感光体ドラムの表面にはピンホールが形成され、出力画像には色点として現れて画像不良を招く。この不具合は感光体ドラムを交換しなければ解消できない。
より具体的には、高温高湿の環境状態などの如く感光体ドラムの表面に水分が多くなり、帯電ローラーが吸湿する環境になれば、帯電ローラーからの電圧が低くても感光体ドラムの表面に印加されてしまい、上記電流のリークが容易に発生してしまう。
【０００５】
つまり、電流のリークを防止には感光体ドラムの表面の水分を除去することが適切であり、例えば、乾いた多量のトナーを現像器から帯電前の感光体ドラムの表面に供給する運転手法（ドラムリフレッシュモード）などがある。しかし、この運転手法の期間が長期に及ぶと、画像形成の開始時期が非常に遅くなるし、また、現像器から新品のトナーを供給するのは必ずしも効率的であるとは云えない。
【０００６】
そこで、回収される残留トナーを帯電前の感光体ドラムの表面に供給することが考えられ、クリーニング装置の内部に集められた残留トナーの回収に関する構造（例えば、特許文献１〜４参照）を検討した。
【先行技術文献】
【特許文献】
【０００７】
【特許文献１】実開平３−１１２６４号公報
【特許文献２】特開平４−２８７０９２号公報
【特許文献３】特開平４−１７２４８４号公報
【特許文献４】特開平６−３１４０４９号公報
【発明の概要】
【発明が解決しようとする課題】
【０００８】
しかしながら、従来の技術では、回収される残留トナーを感光体ドラム表面の水分除去のために再利用できないという問題があった。
詳しくは、特許文献１ではスクリューを有した回転軸が、また、特許文献２ではブレードを有した回転軸がクリーニング装置の内部に設置されているが、このクリーニング装置内に溜まる廃トナーの堆積を防止してその回収を容易にするものであり、この廃トナーを感光体ドラム表面に供給する構造ではないからである。
【０００９】
一方、特許文献３や特許文献４は、感光体ドラム表面のトナー凝集を解消するブレードや磁石であって、やはりクリーニング装置内に溜まる廃トナーを感光体ドラム表面に供給する構造ではない。さらに、特許文献３のブレードは感光体ドラム表面に直に接触可能であり、また、特許文献４の磁石はトナーの穂による磁気ブラシを形成し、このブラシが感光体ドラム表面に接触するため、感光体ドラム表面が負荷によって損傷するのである。
【００１０】
そこで、本発明の目的は、上記課題を解消し、回収される廃トナーを感光体ドラム表面の水分除去のために再利用することができるクリーニング装置及びこれを搭載した画像形成装置を提供することである。
【課題を解決するための手段】
【００１１】
上記目的を達成するための第１の発明は、トナー像が形成された感光体ドラムの表面を清掃するクリーニング装置であって、感光体ドラム表面から残留トナーを除去するクリーニング部材と、クリーニング部材から除去した残留トナーを貯留するトナー貯留部と、トナー貯留部に貯留した残留トナーを飛翔させて感光体ドラム表面に供給する飛翔トナー供給手段とを具備し、この飛翔トナー供給手段は、トナー貯留部で回転駆動される回転軸と、この回転軸の回転に伴って、トナー貯留部の内壁に接触して撓み、トナー貯留部に貯留した残留トナーを掻き上げるとともに、この内壁との接触が解除されて弾性回復することによりこの掻き上げた残留トナーをクリーニング部材による清掃前の感光体ドラム表面に向けて弾き飛ばすトナー飛翔部材とを備える。
【００１２】
本発明は、廃トナーを感光体ドラム表面の水分除去のために再利用する点に着目したものである。
そして、第１の発明によれば、クリーニング装置は、クリーニング部材を有し、感光体ドラム表面を清掃する。詳しくは、クリーニング部材は、転写の際に感光体ドラム表面に残った残留トナーを除去し、この除去した残留トナーはトナー貯留部の内部に集められて回収される。一方、このトナー貯留部に集められた残留トナーは感光体ドラム表面にも供給されるのである。
【００１３】
詳しくは、トナー貯留部の内部には、可撓性を有したトナー飛翔部材が設けられており、回転軸との回転過程にて、トナー貯留部の内壁に接触して撓み状態になる。この際、トナー貯留部に集められた残留トナーを掻き上げる。
次いで、このトナー飛翔部材は、その回転過程にて、トナー貯留部の内壁との接触が解除されると、弾性回復する。つまり、トナー飛翔部材が感光体ドラム表面に接触することなく、この掻き上げた残留トナーを感光体ドラム表面に向けて弾き飛ばすことができる。
【００１４】
よって、感光体ドラム表面を損傷させることなく残留トナーを供給でき、仮に、高温高湿の環境状態などの如く感光体ドラム表面に水分が多くなったとしても、残留トナーを付着させて感光体ドラム表面の水分を除去することができ、感光体ドラム表面へのピンホール発生を回避できる。
しかも、クリーニング装置外へ回収するはずの残留トナーを再利用するので、現像器から新品のトナーを供給しなくて済み、トナーを効率良く使用できる。
【００１５】
第２の発明は、第１の発明の構成において、トナー飛翔部材は、トナー貯留部に貯留した残留トナーを掻き上げるすくい面を有し、このすくい面は、その周縁が回転軸の回転方向に向けて反り上がるスコップ状に形成されていることを特徴とする。
第２の発明によれば、第１の発明の作用に加えてさらに、トナー飛翔部材のすくい面の周縁が反り上がってスコップ状に形成されており、掻き上げた残留トナーをすくい面に確実に保持し、多量の残留トナーを感光体ドラム表面に向けて弾き飛ばすことができる。
【００１６】
第３の発明は、第１や第２の発明の構成において、回転軸には、トナー貯留部に貯留した残留トナーを回収容器に向けて搬送可能なスクリューが設置されていることを特徴とする。
第３の発明によれば、第１や第２の発明の作用に加えてさらに、回転軸が、トナー飛翔部材の他、トナー貯留部に貯留した残留トナーを回収容器に回収するためのスクリューを回転させており、このスクリュー用の回転軸を別個に設置した場合に比して、部品点数が少なく、省スペース化を達成したクリーニング装置を提供できる。
【００１７】
第４の発明は、第１から第３の発明の構成において、トナー飛翔部材は、掻き上げた残留トナーを、感光体ドラム表面のうちこの感光体ドラムの回転軸線方向でみた現像幅の外側領域であって帯電幅の内側領域に対応する箇所に向けて弾き飛ばしていることを特徴とする。
第４の発明によれば、第１から第３の発明の作用に加えてさらに、現像幅が帯電幅よりも狭くなると、この対応する感光体ドラムの端部分は、電流が付与される範囲であるにも拘わらず、乾いたトナーが供給され難い。つまり、電流のリークの発生し易い箇所になる。しかし、このクリーニング装置によれば、現像幅の外側領域であって帯電幅の内側領域に向けて残留トナーを飛翔させており、当該領域における感光体ドラム表面の水分を確実に除去できる。
【００１８】
第５の発明は、第１から第４の発明のクリーニング装置を搭載した画像形成装置であって、感光体ドラム表面に接触して帯電させる帯電器を備えていることを特徴とする。
第５の発明によれば、第１から第４の発明の作用に加えてさらに、感光体ドラム表面に直に接触して帯電させる接触帯電は、コロナ帯電に比して有害性が低いものの、感光体ドラム表面の水分の除去が不十分になると、絶縁破壊が容易に発生して電流のリークが生ずる。しかし、上記クリーニング装置によれば適量のトナーを溜めて水分の除去に利用できるため、環境にやさしいこの帯電器を使用しても感光体ドラムの耐久性が向上する。
【００１９】
しかも、この画像形成装置では、例えばドラムリフレッシュモードのような感光体ドラムの表面の水分を除去するための運転を設けなくて済み、画像形成の開始時期が早くなる。
【発明の効果】
【００２０】
本発明によれば、トナー飛翔部材の束縛及び解放によってトナー貯留部に集められた残留トナーを感光体ドラム表面に向けて弾き飛ばしているため、回収される廃トナーを感光体ドラム表面の水分除去のために再利用できるクリーニング装置及びこれを搭載した画像形成装置を提供することである。
【図面の簡単な説明】
【００２１】
【図１】本実施例のプリンターの概略構成図である。
【図２】図１のドラムユニット周辺の断面図である。
【図３】図２の感光体ドラム、帯電ローラー、現像ローラーの幅の説明図である。
【図４】図２のクリーニング装置周辺の断面図である。
【図５】図４のトナー飛翔パドルの斜視図である。
【図６】図２のクリーニング装置によるトナー飛翔の説明図である。
【図７】他の実施例のクリーニング装置によるトナー飛翔の説明図である。
【発明を実施するための形態】
【００２２】
以下、本発明の好適な実施の形態を図面に基づいて説明する。
図１には、画像形成装置の一例であるカラー印刷可能なプリンター１の構造が概略的に示されている。この図１に示す断面はプリンター１の左側面からみたものである。このため、プリンター１の前面は図１の右側に、プリンター１の背面は左側にそれぞれ位置する。
【００２３】
このプリンター１は装置本体２を有し、この装置本体２の上方には排紙トレイ３６が設けられる。また、この排紙トレイ３６の近傍には、ユーザの各種操作に供される複数の操作キーや、各種情報を表示する画面を有したフロントカバー５が配置されている。
一方、この装置本体２の下方には給紙カセット４が配置され、その収容部４０には、枚葉の用紙が積層された状態で収納されている。
【００２４】
この図１でみて収容部４０の右上方には給紙ローラー４６が設置される。そして、用紙は図１でみて給紙カセット４の右上方に向けて送出され、この送出された用紙は、装置本体２の内部でプリンター１の前面に沿って上方に向けて搬送される。
また、給紙カセット４は、プリンター１の前面側、つまり、図１の右方向に向けて引き出し可能に構成されており、この引き出した状態にて、収容部４０に新たな用紙を補充したり、用紙を別の種類の用紙に入れ替え可能となる。
【００２５】
装置本体２の内部には、給紙カセット４からの用紙搬送方向でみて下流側に、搬送ローラー１０、レジストローラー１４、画像形成部１６及び２次転写部３０が順番に配置されている。
本実施例の画像形成部１６には４個のドラムユニット１７が並設され、各ドラムユニット１７には感光体ドラム１８がそれぞれ設けられている（図１や図２）。各感光体ドラム１８は回転自在に設置され、図示しない駆動モーターによって図１や図２の時計回りにそれぞれ駆動する。
【００２６】
本実施例の感光体ドラム１８は、例えばφ３０ｍｍ程度の直径で形成され、その表面に有機系の感光層を有したＯＰＣ（Ｏｒｇａｎｉｃ  Ｐｈｏｔｏｃｏｎｄｕｃｔｏｒ）ドラムであり、単層型、具体的には、電荷輸送剤の層や電荷発生剤の層を積層するのではなく、電荷輸送剤及び電荷発生剤を同じ層内に分散させたＯＰＣドラムである。
【００２７】
また、この感光体ドラム１８と給紙カセット４との間には露光部１５が備えられており（図１）、この露光部１５からは、レーザー光が各感光体ドラム１８に向けてそれぞれ照射される。
さらに、これら図１や図２に示されるように、各感光体ドラム１８の周囲の適宜位置には、帯電器２０、現像器２４、中間転写ローラー１３、クリーニング装置５０がそれぞれ設けられている。
【００２８】
この帯電器２０は、図２にも示される如く感光体ドラム１８の下方に位置し、感光体ドラム１８に直接に接する帯電ローラー２１、及びこの帯電ローラー２１の表面を摺擦して清掃するクリーニングブラシ２２を有し、感光体ドラム１８の表面を正帯電させる。本実施例の帯電ローラー２１は、例えばエピクロルヒドリンゴム製であり、φ１２ｍｍ程度の直径で形成され、感光体ドラム１８の表面に対して直流電圧を印加している。
【００２９】
現像器２４は図２でみてドラムユニット１７の左方に配置され、感光体ドラム１８に対峙する現像ローラー２５を有する。この現像ローラー２５は図示しない駆動モーターによって図２の反時計回りに駆動する。
なお、この図２の参照符号２６はギャップ規制コロである。当該ギャップ規制コロ２６は、現像ローラー２５の両端に設けられており、感光体ドラム１８に連れ回って現像ローラー２５と感光体ドラム１８とのギャップを設定する（図３）。
【００３０】
画像形成部１６はゴム製の中間転写ベルト１２を有し、当該中間転写ベルト１２は各感光体ドラム１８の上方に配置されており、中間転写ローラー１３は中間転写ベルト１２を上方から押圧し、感光体ドラム１８と中間転写ベルト１２とを圧接させる。
また、中間転写ベルト１２と排紙トレイ３６との間には４個のトナーコンテナ２３が配設されている（図１）。これら各トナーコンテナ２３は、プリンター１の背面側から前面側に向けて、マゼンタ用、シアン用、イエロー用、そして、ブラック用の順に配設され、このブラック用のトナーコンテナの容量が最も大きく構成される。
【００３１】
２次転写部３０には２次転写ローラー３１が備えられ、この２次転写ローラー３１は中間転写ベルト１２に対して斜め下方から圧接可能に構成されている。これら中間転写ベルト１２と２次転写ローラー３１とは、トナー像を用紙に転写するためのニップ部を形成する。
また、用紙搬送方向でみて２次転写部３０の下流側には、定着部３２、排出分岐部３４及び排出ローラー３５の順に配置されている。
【００３２】
さらに、２次転写部３０と手差しトレイ３との間に両面印刷搬送路３８が形成される。この両面印刷搬送路３８は、排出分岐部３４から装置本体２の前面側で分岐して下方に向けて延び、レジストローラー１４の上流側に連結する。
ここで、本実施例のトナーには、微量の研磨剤（酸化チタン、シリカ、アルミナなど）が含まれており、クリーニング装置５０にて感光体ドラム１８の表面の清掃に利用される。
【００３３】
詳しくは、クリーニング装置５０は、図２に示されるように、感光体ドラム１８の回転方向でみて中間転写ベルト１２との転写位置の下流側にて、この感光体ドラム１８に向けて開口したハウジング５１を備えており、このハウジング５１の適宜位置に、クリーニングブレード（クリーニング部材）５２やトナー回収室（トナー貯留部）８０を有している。
【００３４】
具体的には、クリーニングブレード５２は、ハウジング５１の下端に固定される亜鉛鋼板の本体や、この本体に溶着されたポリウレタンゴム製のブレード部分からなり、このブレード部分のエッジが感光体ドラム１８の回転軸線に沿って延びている。そして、当該ブレード部分のエッジが感光体ドラム１８の回転軸線よりも低い位置にてカウンタ方向で接し（図２）、感光体ドラム１８の表面に付着した研磨剤を含む残留トナーや放電生成物などを掻き取っている。
【００３５】
このクリーニングブレード５２によって感光体ドラム１８の表面から掻き取られた残留トナー等は、トナー回収室８０から図示しない回収容器に回収される。
詳しくは、トナー回収室８０は、ハウジング５１の底近傍に螺旋状のスクリュー８８を有する。このスクリュー８８は、図２でみてクリーニングブレード５２の右側に設置されており、感光体ドラム１８の回転軸線方向に沿って延び、その先端が図示しない駆動モーターに連結されている。そして、この駆動モーターが駆動すると、ハウジング５１内の残留トナー等は、スクリュー８８を経由して上記回収容器に集められる。
【００３６】
ところで、図２に示した現像ローラー２５、帯電ローラー２１、及び感光体ドラム１８などの各回転軸線を並べてみると、これらの各幅（軸方向の長さ）は同じではない。
具体的には、これら各構成の幅の関係を説明した図３に示される如く、この図３に破線で示された感光体ドラム１８の感光層の幅（ドラム幅）は、図３に２点鎖線で示された帯電幅よりも広く設定される。なお、上述した中間転写ベルト１２の幅は、ドラム幅と帯電幅の間、或いはこの帯電幅と同等に設定される。
【００３７】
また、この帯電幅は、図３に実線で示された現像幅よりも広く設定される。仮に帯電幅が現像幅よりも狭いと、この帯電幅の外側領域にトナーが付着し続けるからである。
なお、この現像幅は、図３に１点鎖線で示された通紙幅よりも常に広く設定される。用紙の左右両端にもトナー像を形成可能にするためである。
【００３８】
すなわち、感光体ドラム１８の表面において、この感光体ドラム１８の回転軸線方向でみた現像幅の外側領域は、この現像幅の内側領域に比してトナーが付着し難い範囲になる。
また、この現像幅の外側領域であって帯電幅の内側領域は、帯電ローラー２１の端部に対峙しており、帯電ローラー２１から感光体ドラム１８の表面への流れ込み電流が通紙幅の内側領域よりも増える。
【００３９】
特に、感光体ドラム１８のうち帯電ローラー２１のエッジ近傍、換言すれば、図３に２点鎖線で示された帯電幅の境界位置の周辺には、帯電ローラー２１からの押圧力が集中し易く、過剰な放電現象が起こり易い。なお、この帯電幅の境界位置の周辺とは、帯電される範囲であり、帯電幅のやや外側領域も含まれる。
このように、感光体ドラム１８の表面のうち、現像幅の外側領域であって帯電幅の内側領域、つまり、図３の斜線で示された領域９０，９０では、トナーが付着し難い範囲であるにも拘わらず、流れ込み電流が増える範囲に相当するので、感光体ドラム１８の表面の絶縁破壊が起き易いことが分かる。
【００４０】
しかも、高温高湿の環境状態にて感光体ドラム１８の表面に水分が多くなると、この水分を除去しなければ、感光体ドラム１８の表面の絶縁破壊によって電流のリークが容易に発生してしまう。
この場合に、ドラムリフレッシュモードを実施し、乾いた多量のトナーを現像器２４から感光体ドラム１８の表面に供給しても、この運転期間が長期に及ぶと、画像形成の開始時期が非常に遅くなってしまう。
【００４１】
そこで、本実施例では飛翔トナー供給手段６０をトナー回収室８０に設置している。
具体的には、図４に示されるように、本実施例の飛翔トナー供給手段６０は、可撓性を有し、高反発弾性体として機能できる樹脂製のトナー飛翔パドル（トナー飛翔部材）６４を備える。
【００４２】
このトナー飛翔パドル６４は、上記螺旋状のスクリュー８８を有した回転軸６２のうち上記領域９０に対峙した位置に２枚ずつ設けられており、回転軸６２と一体に回転してトナー回収室８０に集めた残留トナーを感光体ドラム１８の表面に供給している。
より詳しくは、このトナー飛翔パドル６４はスコップ状に形成され、その撓む前の姿勢を示した図５の如く、その中央部分にすくい面６５を有する。
【００４３】
なお、この図５では、すくい面６５を視認できるトナー飛翔パドル６４が図の右下側に、すくい面６５の裏側に位置した裏面６６を視認できるトナー飛翔パドル６４が図の左上側に示されているが、図の右下側に示したトナー飛翔パドル６４を上下反転させれば、図の左上側に示したトナー飛翔パドル６４の姿勢になり、これらは同じ形状である。
【００４４】
詳しくは、すくい面６５は長方形状に形成され、その周縁には、回転軸６２の回転方向（図４で云えば反時計回り）に向けて突出した折り返し６７，６８，６９が形成されている。折り返し６７と折り返し６９とが回転軸６２の回転軸線に沿ってそれぞれ形成され、すくい面６５を挟んでこの回転軸線に対して直交方向で対峙している。
【００４５】
また、折り返し６８，６８は、回転軸６２の回転軸線に対して直交方向に延びて折り返し６７や折り返し６９の両端を連結しており、これら折り返し６７，６８，６９で囲まれたすくい面６５は、トナー回収室８０に集められた残留トナーを掻き上げる機能を有する。
さらに、すくい面６５を挟んで折り返し６７の反対側には、すくい面６５や裏面６６を延長した根元７０が形成されており、例えば根元７０を回転軸６２に差し込めば、スコップ状のトナー飛翔パドル６４を回転軸６２に固定できる。
なお、本実施例では好適な例としてスコップ状の形状としているが、トナーをすくい面６５に保持して回転できる形状であれば、いずれの形状でも構わない。
【００４６】
一方、本実施例のトナー回収室８０は、トナー飛翔パドル６４を撓ませる形状で構成される。
詳しくは、図４に示される如く、内壁８２がハウジング５１の底近傍で湾曲しており、内壁８２は、この図４でみて時計の９時方向から反時計回りで２時方向（回転軸６２を含んだ水平面よりも上方に位置する）に亘る連続した曲線で形成され、この内壁８２から回転軸６２の外周壁までの距離は、折り返し６８の長さよりも短く形成されている。
【００４７】
つまり、この内壁８２に接触したトナー飛翔パドル６４は撓む。これに対し、上記時計の２時方向の位置には飛翔補助壁８４が設けられ、この飛翔補助壁８４を超えた位置では、回転軸６２の周壁までの距離が折り返し６８の長さよりも長く形成されている。このように、トナー飛翔パドル６４は、内壁８２に接触し始めてから飛翔補助壁８４に到達するまでは撓んだままになり、この飛翔補助壁８４を超えた瞬間に伸びて自然長になる。
【００４８】
具体的には、クリーニングブレード５２で掻き取った残留トナーを上記回収容器に集めるために、回転軸６２が図４でみて反時計回りに回転し、スクリュー８８がトナー回収室８０の残留トナーを搬送すると（この搬送方向を図６に実線の矢印で示す）、この図６にて領域９０に近接しているトナー飛翔パドル６４のように、自然長になったすくい面６５は、その折り返し６７がやがて内壁８２に接触する。
【００４９】
つまり、図４で左側に示したトナー飛翔パドル６４の如く、この折り返し６７が、回転軸６２に埋まった根元７０に対して遅れる方向に位置し（図４）、内壁８２に対して撓んだ状態で摺接する。これにより、スクリュー８８で搬送途中の残留トナーがすくい面６５で掻き取られる。
次いで、このすくい面６５は、回転軸６２の回転に伴って内壁８２に対して撓んだ状態で摺接し続け、残留トナーを掻き上げた状態で飛翔補助壁８４の手前まで到達する。
【００５０】
回転軸６２がさらに回転し、このすくい面６５の折り返し６７が飛翔補助壁８４を超えると、図４の右側に示したトナー飛翔パドル６４のように、すくい面６５が急激に延びて弾性回復し、自然長になる。
そして、このすくい面６５に載っていた残留トナーは、飛翔補助壁８４との接触が解除された瞬間にすくい面６５から離れ、スクリュー８８の上方、クリーニングブレード５２の上方を経由し、感光体ドラム１８の表面に向かって弾き飛ばされる（この飛翔経路を図６に破線の矢印で示す）。
【００５１】
これにより、ハウジング５１内を飛翔した残留トナーは、領域９０に付着してその水分を除去する。
その後、この弾性回復していたすくい面６５は、その折り返し６７が回転軸６２の回転過程で内壁８２に再び接触すると、この折り返し６７がすくい面６５に引っ張られるように撓んで内壁８２に接し、スクリュー８８で搬送途中の残留トナーを掻き上げることになる。
【００５２】
再び図１に戻り、上記プリンター１が印刷を行う際は、給紙ローラー４６によって給紙カセット４から用紙が１枚ずつ分離して送出される。送出された用紙はレジストローラー１４に到達する。このレジストローラー１４は、用紙の斜め送りを矯正しつつ、画像形成部１６で形成されるトナー像との画像転写タイミングを計りながら、用紙を所定の給紙タイミングにて２次転写部３０へと送出する。
【００５３】
一方、図示しないコントローラーには、印刷の元になる画像データが外部から受信可能に構成されている。この画像データは、文字や符号、図形、記号、線図、模様等の各種の画像がデータ化されたものである。このコントローラーでは、このデータに基づいて光の照射などを制御する。詳しくは、各感光体ドラム１８に対し、図２のイレーサ１９が除電し、次いで、帯電器２０が感光体ドラム１８の表面をそれぞれ帯電する。
【００５４】
次いで、露光部１５が感光体ドラム１８の表面にレーザー光をそれぞれ照射すると、各感光体ドラム１８の表面には静電潜像が作られ、現像バイアス電圧の印加によりこの静電潜像から各色のトナー像が形成される。
これら各トナー像は中間転写ベルト１２に重ね合わされ（１次転写）、２次転写部３０にて用紙に２次転写される。なお、感光体ドラム１８の表面に残留したトナーはクリーニング装置５０で除去される。
【００５５】
続いて、用紙は未定着トナー像を担持した状態で定着部３２に向けて送られて加熱及び加圧され、トナー像が定着される。その後、定着部３２から送出された用紙は排出ローラー３５を介して排紙トレイ３６に排出され、高さ方向に積層される。
両面印刷を行う場合には、片面に印刷された用紙は、排出分岐部３４で装置本体２内に引き戻され、両面印刷搬送路３８に搬送される。この用紙はレジストローラー１４の上流側に向けて送出され、２次転写部３０に向けて再び送られる。これにより、用紙の未だ印刷がされていない面にトナー像が転写される。
【００５６】
ところで、上述のトナー飛翔パドル６４は、残留トナーを領域９０に飛翔させているが、この残留トナーを感光体ドラム１８の中央位置に飛翔させても良い。
詳しくは、図７に示された実施例では、回転軸６２の中央位置にもトナー飛翔パドル６４を設置し、残留トナーを感光体ドラム１８の中央位置にも飛翔させる。高温高湿の環境状態では、領域９０のみならず、感光体ドラム１８の中央位置にも水分が多く存在し得るからである。
【００５７】
一方、上述の飛翔トナー供給手段６０は、スクリュー８８とともに回転軸６２に固定されているものの、このスクリュー８８を回転させる回転軸６２とは別個の回転軸をハウジング５１内に設置し、トナー飛翔パドルをこの別個の回転軸に設けてトナー回収室８０の残留トナーを感光体ドラム１８の表面に供給しても良い。
【００５８】
以上のように、本実施例によれば、クリーニング装置５０はクリーニングブレード５２を有し、感光体ドラム１８の表面を清掃する。詳しくは、クリーニングブレード５２は、転写の際に感光体ドラム１８の表面に残った残留トナーを除去し、この除去した残留トナーはトナー回収室８０の内部に集められて回収される。
【００５９】
一方、このトナー回収室８０に集められた残留トナーは感光体ドラム１８の表面にも供給されるのである。
具体的には、トナー回収室８０の内部には、可撓性を有したトナー飛翔パドル６４が設けられており、回転軸６２との回転過程にて、トナー回収室８０の内壁８２に接触して撓み状態になる。この際、トナー回収室８０に集められた残留トナーを掻き上げる。
【００６０】
次いで、このトナー飛翔パドル６４は、その回転過程にて、トナー回収室８０の内壁８２との接触が解除されると、弾性回復する。つまり、トナー飛翔パドル６４が感光体ドラム１８の表面に接触することなく、この掻き上げてすくい面６５に載っていた残留トナーを感光体ドラム１８の表面に向けて弾き飛ばすことができる。
【００６１】
よって、感光体ドラム１８の表面をトナー飛翔パドル６４との接触によって損傷させることなく、残留トナーを感光体ドラム１８の表面に供給でき、仮に、高温高湿の環境状態などの如く感光体ドラム１８の表面に水分が多くなったとしても、残留トナーを付着させて感光体ドラム１８の表面の水分を除去することができるので、感光体ドラム１８の表面へのピンホール発生を回避できる。
【００６２】
しかも、クリーニング装置５０の外部へ回収するはずの残留トナーを再利用するので、現像器２４から新品のトナーを供給しなくて済み、トナーを効率良く使用できる。
また、トナー飛翔パドル６４のすくい面６５の周縁が反り上がってスコップ状に形成されており、掻き上げた残留トナーをすくい面６５に確実に保持し、多量の残留トナーを感光体ドラム１８の表面に向けて弾き飛ばすことができる。
【００６３】
さらに、上記実施例では、回転軸６２が、トナー飛翔パドル６４の他、トナー回収室８０に貯留した残留トナーを回収容器に回収するためのスクリュー８８を回転させており、このスクリュー用の回転軸を別個に設置した場合に比して、部品点数が少なく、省スペース化を達成したクリーニング装置５０を提供できる。
【００６４】
また、図３の如く現像幅が帯電幅よりも狭いため、その対応する感光体ドラム１８の領域９０，９０は、帯電ローラー２１による電流が付与される範囲であるにも拘わらず、現像ローラー２５からの乾いたトナーが供給され難い。つまり、電流のリークの発生し易い箇所になる。しかし、このクリーニング装置５０によれば、現像幅の外側領域であって帯電幅の内側領域に向けて残留トナーを飛翔させており、領域９０，９０における感光体ドラム１８の表面の水分を確実に除去できる。
【００６５】
さらにまた、有機系の感光層を有したＯＰＣドラム１８は量産性に優れているが、水分の除去が不十分ではピンホールが容易に発生するという懸念がある。しかし、上記クリーニング装置５０によれば、帯電幅の内側領域に適量のトナーを溜めて水分の除去に利用できるので、量産性の他、耐久性の向上も図るＯＰＣドラム１８を提供可能になる。
【００６６】
また、感光体ドラム１８の表面に直に接触して帯電させる接触帯電は、コロナ帯電に比してオゾン発生量が少ないものの、感光体ドラム１８の水分の除去が不十分になると、絶縁破壊が容易に発生して電流のリークが生ずる。しかし、上記クリーニング装置５０によれば、帯電幅の内側領域に対しても適量のトナーを溜めて水分の除去に利用できるため、環境にやさしいこの帯電器２０を使用しても感光体ドラム１８の耐久性が向上する。
【００６７】
しかも、このプリンター１では、例えばドラムリフレッシュモードのような感光体ドラム１８の表面の水分を除去するための運転を設けなくても済むため、画像形成の開始時期が早くなる。
本発明は、上記実施例に限定されず、特許請求の範囲を逸脱しない範囲で種々の変更を行うことができる。
【００６８】
例えば、上記実施例では、トナー像が感光体ドラムの上方で中間転写ベルトに転写しているが、この感光体ドラムの下方でベルトに転写しても良い。また、上記実施例では、中間転写ベルトを採用したプリンター１で説明されている。しかし、本発明は、感光体ドラム１８のトナー像を用紙に直接に転写する場合にも適用可能である。
【００６９】
さらに、この実施例では画像形成装置としてプリンターに具現化した例を示しているものの、本発明の画像形成装置は、複合機、複写機やファクシミリ等にも当然に適用可能である。
そして、これらいずれの場合にも上記と同様に、回収される廃トナーを感光体ドラム表面の水分除去のために再利用できるとの効果を奏する。
【符号の説明】
【００７０】
１  プリンター（画像形成装置）
１８  感光体ドラム
２０  帯電器
２１  帯電ローラー
５０  クリーニング装置
５２  クリーニングブレード（クリーニング部材）
６０  飛翔トナー供給手段
６２  回転軸
６４  トナー飛翔パドル（トナー飛翔部材）
６５  すくい面
６７，６８  折り返し
８０  トナー回収室（トナー貯留部）
８２  内壁
８８  スクリュー
【図１】
0005409659.tif 000002
【図２】
0005409659.tif 000003
【図３】
0005409659.tif 000004
【図４】
0005409659.tif 000005
【図５】
0005409659.tif 000006
【図６】
0005409659.tif 000007
【図７】
0005409659.tif 000008